Podtech/llm-jp-corpus-v4-ja_patent huggingface dataset:
(57)【要約】【課題】  本発明は、体に指圧をするとき指圧の力が調整でき広い範囲で指圧位置を簡単、明確にとらえる指圧保持具を提供する【課題手段】  生地素材（１）の表面上に無数の凸状突起（２）を設け密着させる。生地素材（１）の裏側面に指圧効果位置図（４）を表示印刷し、服飾の形に縫製されている。【選択図】図１
2006051319.tif 000002
【特許請求の範囲】
【請求項１】
生地素材（１）の表面上に無数の凸状突起物（２）を密着させ、生地素材（１）の裏側面に指圧効果位置図（４）を表示構成された凸状突起物付き指圧保持具である。
【発明の詳細な説明】
【発明の詳細な説明】
【技術分野】
【０００１】  本発明は、体の指圧つぼを刺激するとき身に付けるための、凸状突起物付き指圧保持具に関する物である。
【背景技術】
【０００２】  従来、指圧保持具としては、体の一部分を指圧するための棒、ローラー、指に突起物を付けて押す器具、履き物の中敷に突起を付けたものや、指圧保持具ではないが、靴下や手袋の表面に凸状突起を付けて、滑りを防止しするものがある。
【発明が解決しようとする課題】
【０００３】  指圧保持具を使用したとき次の問題点があった。
履き物に取り付けられている凸状突起物付き中敷きの場合は、足の裏にかかる圧力が痛みに変った時、取り外しが困難であり、履き替えることが不便がある。また、中敷きを外すことが出来ない為に、清潔に保つことが出来ない問題もある。
【０００４】  また、現在使用中の靴に凸状突起物の中敷きを装着した場合は、靴に合わせた中敷きをいくつも用意する必要がある。
【０００６】  他の人の力を借りて指圧をしてもらう時は、押す力の加減が難しく、押す人が疲れてしまうこともあり、また指圧効果位置がわかりずらかった。
本発明は、以上のような欠点をなくすためになされたものである。
【課題を解決するための手段】
【０００７】  本発明は、体に指圧をするときにおきる、痛み、疲れを無くすことではなく、無数の凸状突起物を付て広い範囲で指圧効果位置をとらえ指圧の力を調整し、脱着を簡単にすれば良いと考えた。
【０００８】  生地素材（１）の表面上に無数の凸状突起物（２）を密着したのを設ける。凸状突起物（２）が内側になるように服飾の形に縫製させる。
【０００９】  服飾の形に縫製された凸状突起物付き指圧保持具を身に付け、体を動かすことで、体重が押す力に変わり、凸状突起物（２）に力が伝わり指圧ができる。または、外側から押す力を加えることで、凸状突起物（２）に伝わり指圧ができる。
【００１０】なお、凸状突起物（２）の為、力は分散され押す力の強弱を調整できる。
【００１１】さらに、凸状突起物（２）の外側面に指圧効果位置図（４）を印刷して表示してある。
【００１２】  本発明は、以上の構成より成り立っている凸状突起物付き指圧保持具である。
【発明を実施するための最良の形態】
【００１３】  以下、本発明の実施形態について図面を参して説明する。
（イ）図１から図３において生地素材（１）は、例えば、伸び縮む生地を用い、靴下に形成してある。
（ロ）凸状突起物（２）は、例えは、プラスチック、シリコン、セラミック、ゴムのような樹脂を用い、成型加工した凸形にしてある。
（ハ）生地素材（１）の表面上に無数の凸状突起物（２）を設け密着している。
（ニ）指圧効果位置図（４）は、外側面に表示印刷されている。
【実施例】
【００１４】  本発明は、以上の構成において使用するとき。
図１から図３において凸状突起物付き指圧保持具を使用する場合は、凸状突起物（２）が付いている面を足（３）側に向けて身に付けて使用する。このとき外側面に指圧効果位置図（４）が表示印刷される。
【発明の効果】
【００１５】  本発明は、上述の通り構成されているので、次に記載する効果を示す。
【００１６】  靴下にの凸状突起物を付けた場合は、靴下を履いて動作することで、指圧され凸状突起物が付いている履き物、もしくは、中敷きを利用する必要がなく、また、靴下を履いて歩かなくても、外側から押す力を加えることで指圧ができる。
【００１７】  足と靴下が密着することで、滑り止めがおこり靴下のずれこみが無くなる。
【００１８】  手袋に凸状突起物を付けた場合は、手、指を動かすことで指圧が出来る。また、凸状突起物を外側に出して装備することで、凸状突起物が付いていない場所に凸状突起物を押し当てることで指圧ができ、さらに他の人に指圧をしてあげるときも利用できる。
【００１９】  被服に凸状突起物を付けた場合は、軽い力で指圧が出来、手の届かない場所は、自分の体重を利用して寝たり体を他の物に押しつける事により指圧が出来る。
【００２０】  また、凸状突起物付き指圧保持具を付けたまま他の人に指圧をしてもらう場合は、無理な力をかけて押す必要はなくなる為、押す人の疲れが緩和される。
【００２１】  必要に応じて着脱が簡単に出来ることで、汚れの洗濯ができ、清潔に保てる。
【００２２】  凸状突起物のため、加わる力が分散され力の強弱を調整できることで、体に無理な負担がかかりずらい。
【００２３】  指圧効果位置図を明記し、または、色で識別しておくことで指圧位置を明確に捉えることができる。
【００２４】  また無数の凸突起物が付いているので広い範囲で指圧ができる。
【図面の簡単な説明】
【図１】凸状突起物付き指圧保持具の実施例を示す靴下の斜視図である。
【図２】凸状突起物付き指圧保持具の実施例を示す靴下の縦断面図である。
【図３】凸状突起物付き指圧保持具の実施例を示す靴下の底面図である。
【符号の説明】
１  生地素材
２  凸状突起物
３  靴下
４  指圧効果位置図
【図１】
2006051319.tif 000003
【図２】
2006051319.tif 000004
【図３】
2006051319.tif 000005
(57)【要約】【課題】電車内やショッピング中など、手を解放したい時に、傘の石突きに設けた台座を足で踏むことにより、傘が直立し、手を解放することのできる傘立てを提供する。【解決手段】略長方形の基板からなる台座の長手方向の一端に、上方を開口した筒体を直立に設け、該筒体の内側の中腹部に内方へ向けて突出した突部を設け、開口部より傘の先端石突きを筒内に挿入し、突部で石突きを挟持し、台座を足で踏むことにより、傘を自立させることを特徴とする足踏み傘立て。【選択図】図１
2006051312.tif 000002
【特許請求の範囲】
【請求項１】
略長方形の基板からなる台座の長手方向の一端に、上方を開口した筒体を直立に設け、該筒体の内側の中腹部に内方へ向けて突出した突部を設け、開口部より傘の先端石突きを筒内に挿入し、突部で石突きを挟持し、台座を足で踏むことにより、傘を自立させることを特徴とする足踏み傘立て。
【発明の詳細な説明】
【技術分野】
【０００１】  本発明は、傘の石突きに足踏み台座を設けた足踏み傘立てに関する。
【背景技術】
【０００２】  従来、電車内やショッピング中など傘を使う雨の日は、手などで傘を保持する必要があり、手を使いたいときは、傘をどこかに置くか別の手段を取る必要があった。
【発明の開示】
【発明が解決しようとする課題】
【０００３】  そのために、次のような問題点があった。
電車内やショッピング中などでは、傘をずっと持っていなければならず、持つ手が疲れたりするなどした。また手を使いたい時などは、傘をどこかに引っかけたり、立てかけたりしなければならず、置く場所を探さす手間、時には置き忘れするなど、手を解放したい時に非常に不便であった。
本発明は以上の問題点を解決しようとするものである。
【課題を解決するための手段】
【０００４】  台座の上面に筒体を直立に設ける。筒体内部には突部があり、筒体上部の挿入口から傘の石突きを挿入することによって、この突起で傘を挟持し、足で台座を踏むことにより傘が直立に保たれ、手が解放できる。
以上を特徴とする足踏み傘立て器具である。
【発明の効果】
【０００５】  本発明は、台座を足で踏んでいるだけで、傘が自立し、手が解放され、電車内やショッピング中の不自由さを解決することができる。また常に台座を踏んで傘を保持しているため、置き忘れや盗難などの心配も解決できる。
【発明を実施するための最良の形態】
【０００６】以下、本発明を実施の形態を説明する。
（イ）略長方形または楕円形状の基板である台座（１）の上面の長手方向の一端に筒体（３）を直立させて設ける。
（ロ）筒体（３）の上面は開口した中空筒であり、筒体（３）の底から台座（１）に水抜き口（２）を貫通させる。
（ハ）筒体（３）の上部を開口し、傘の石突き挿入口（４）を設ける。
（ニ）筒体の内側中腹部に内方へ向けて突出した突部（５）を設ける。
本発明は、以上の構成によりなっている。
本発明を使用する時は、まず傘の石突きを筒体（３）上部の挿入口（４）に、上から下に向かって垂直に挿入し、筒体内部の突部（５）で石突きが挟持されるまでしっかり押し込む。これで器具の装着は完了する。傘立てとして使用する際は、長手方向の台座（１）を足で踏むことにより、傘が直立し、手で傘を保持することなく傘立てとしての機能を果たす。また濡れた傘から流れ落ちる水は、水抜き口（２）から排出される。
【図面の簡単な説明】
【０００７】
【図１】本発明の斜視図
【図２】本発明の断面図
【図３】本発明の使用状態を示す斜視図
【符号の説明】
【０００８】      １  台座
２  水抜き口
３  筒体
４  挿入口
５  突部
【図１】
2006051312.tif 000003
【図２】
2006051312.tif 000004
【図３】
2006051312.tif 000005
(57)【要約】【課題】  足の指にはめて、疲労をとることができる健康器具を提供する。【解決手段】  弾力性を有する素材で、リングの部分を足の指にはめて、指の間に球がはさまる様になる一体化したもので、球の中は空洞にし鉱石などが入る様にしておき、指圧効果プラス体に良い作用が働くことを特徴とする足の指マッサージリング。【選択図】  図１
2006051316.tif 000002
【特許請求の範囲】
【請求項１】
弾力性を有する素材で、リングの部分を足の指にはめて、指の間に球がはさまる様になる一体化したもので、球の中は、空洞にし鉱石などが入る様にしておき、指圧効果プラス体に良い作用が働くことを特徴とする足の指マッサージリング。
【発明の詳細な説明】
【技術分野】
【０００１】  本発明は、弾力性を有する素材で、リングの部分を足の指にはめて、指の間に球がはさまる様になる一体化したもので、球の中は、空洞にし鉱石などが入る様にしておき、指圧効果プラス体に良い作用が働くことを特徴とする足の指マッサージリングに関するものである。
【背景技術】
【０００２】  従来、指の間を広げるために、棒状、筒状のものがあった。
【発明の開示】
【発明が解決しようとする課題】
【０００３】  そのために、次のような問題点があった。
（イ）指に装着したら、普段のように、歩きまわることができなかった。
（ロ）寒い時には、くつ下をはくことができなかった。
（ハ）遠赤外線、マイナスイオンなど発生するものがない。
本発明は、以上の問題点を解決しようとするものである。
【課題を解決するための手段】
【０００４】  弾力性を有する素材で、リングの部分を足の指にはめて、指の間に球がはさまる様になる一体化したもので、指の間に球をはさむことで、指の間隔が広がりリラックスでき、そのままでもツボを刺激するが、指を動かすことでよりいっそう指圧効果が上がる。
球の中を空洞にしその中にトルマリン、セラミック、永久磁石などの鉱石が入る様にしておく。
その中に入る物により指圧効果プラス体に良い作用が働くことができる。
以上を特徴とする足の指マッサージリングである。
【発明の効果】
【０００５】  指の間にはさむ形状を球にすることで、指からはみ出すこともなく歩くことでよりいっそう指圧効果が上がり、くつ下、サンダル、先が広い靴ならはくこともでき、球の中に入れたものにより、遠赤外線、マイナスイオンなど発生することができる。
【発明を実施するための最良の形態】
【０００６】  以下、本発明の実施の形態を説明する。
（イ）弾力性を有する素材で一体化しており、リング（１）は、足の指にはめ指の間に球    （２）をはさむ様に装着する。
（ロ）球の中は空洞（４）にしておき、表面から空洞まで小さい穴（３）を三ヶ所以上あ    けておく。
弾力があるため表面の穴（３）を広げ鉱石などを入れることができる。
本発明は、以上のような構造で、これを使用する時はリング（１）を足の指にはめて、指の間に球（２）をはさむようにする。
このことで、指の間隔が広がり、リラックスでき、そのままでもツボを刺激するが、指を動かしたり、歩くことで、よりいっそう指圧効果が上がる。
リング（１）にしたことで、指先から指のまたまで移動でき、疲れた部位を刺激することができる。
親指とひとさし指のリングを指先にもっていけば、外反母趾の予防や矯正ができる。
球（２）の中には、体に良いとされるトルマリン、セラミック、永久磁石など入れることにより、指圧効果プラス体に良い作用が働き、表面から空洞（４）までの小さな穴（３）はよりこの作用が効果的になる用、三ヵ所以上あけることにした。
また、洗うこともでき、空洞の中にたまった水分も蒸発しやすくなった。
【図面の簡単な説明】
【０００７】
【図１】本発明の斜視図である。
【図２】本発明の一部を切り欠いた状態を示した断面図である。
【図３】本発明の使用状態を示した斜視図である。
【符号の説明】
【０００８】１  リング
２  球
３  穴
４  空洞
【図１】
2006051316.tif 000003
【図２】
2006051316.tif 000004
【図３】
2006051316.tif 000005
(57)【要約】【課題】特に注意を払うことなく普通のロッカーのような使い方で、作業着、白衣、作業靴、長靴、スリッパ等の着衣や、清掃器具、医療器具等を殺菌、乾燥、消臭することが出来る装置を提供する。【解決手段】オゾンランプ４による殺菌の後、遠赤外線照射パネル２による乾燥、殺菌を併用することで、双方の不得意な部分を補い、遠赤外線の照射量を増やすことによって、通常使用時と同じように蜜に着衣等を入れても、殺菌、乾燥、消臭できるようにする。【選択図】図１
2006051137.tif 000002
【特許請求の範囲】
【請求項１】
断熱ロッカー内壁面に遠赤外線照射パネルを設置し、その他の内壁面を反射板とし、本体上部にオゾンランプを取り付け、本体後面にダクトを設け、オゾンを噴出口よりロッカー内部に放出し、ロッカー上部にファンを設けてオゾンランプに空気を戻し、循環するようにしたことを特徴とする殺菌乾燥消臭装置。
【請求項２】
遠赤外線照射パネル照射面が断熱用ガラス板で覆われ、断熱層を持つことを特徴とする請求項１記載の殺菌乾燥消臭装置。
【発明の詳細な説明】
【技術分野】
【０００１】
本発明は、着衣や、清掃器具、医療器具等を収納し、殺菌、乾燥、消臭する装置に関するものである。
【背景技術】
【０００２】
従来、殺菌、消臭装置としては、オゾン殺菌装置が知られている。加熱による殺菌とは違い、熱に弱いものに対して有効な殺菌装置である。また、遠赤外線殺菌装置もあり、乾燥させ、処理後の菌の繁殖を抑えると言う点で有効な殺菌装置である。
【０００３】
しかし、オゾン殺菌装置は、充分に乾燥させることが出来ない。又、遠赤外線殺菌装置は、照射体から遠くなるほど遠赤外線が分散し、内容物が蜜になると遠赤外線が透過しにくくなるので内容物の入れ方を加減しなくてはならないという欠点があった。
【発明の開示】
【発明が解決しようとする課題】
【０００４】
解決しようとする問題点は、従来のものは内容物の入れ方を加減しなければならず、誰にでも平易な使用で確実な殺菌、乾燥が出来ないという点である。
【課題を解決するための手段】
【０００５】
本発明は、遠赤外線の影になる部分の殺菌のため、オゾン殺菌を併用することと、遠赤外線の照射量を増やすため、断熱層を持つ遠赤外線照射パネルを使うことを主要な特徴とする。
【発明の効果】
【０００６】
本発明の殺菌乾燥消臭装置の遠赤外線照射パネルは、ハンガーに掛けた白衣とほぼ同じ高さがあり、幅はロッカー内部有効長に近く、どのように吊るしても同じ殺菌、乾燥、消臭効果が得られる。
【発明を実施するための最良の形態】
【０００７】
遠赤外線の照射量の増加と、照射範囲を拡大するという目的を、本体外形寸法を通常のロッカーに比べて大きな増加を行わずに実現した。
【実施例１】
【０００８】
図１は、本発明装置の１実施例の断面図である。１は断熱ロッカーで、壁面には断熱材１１が封入されている。ただし、その中にダクト５が貫通している。このダクトは上部にあるオゾンランプ４で発生させたオゾンを下部にある吹出口６より出すための通り道になる。吹き出されたオゾンは、作業着１９、作業靴１５等に当り、殺菌し、ファン８の力で吸込口１８よりオゾンランプに戻される。ロッカー内部７の壁面はステンレスで作られ、表面は研磨仕上げで反射板３になっている。また、本体前部は扉１４になっている。
【０００９】
ロッカー内部７後面にはヒーター１３が付いた遠赤外線照射パネル２が取り付けられ、その表面に断熱層１１を作る形で断熱用ガラス板１０が覆っている。なお、断熱ロッカー１上部にはタイマー１６、制御ユニット１７が、ロッカー内部７には、作業着１９をぶら下げるためのハンガーバー２０が取り付けられている。
【００１０】
上記の殺菌乾燥消臭装置の使用方法について説明する。その日の作業終了時に、使用していた作業着１９を、ハンガーバー２０にハンガーを使って掛け、作業靴１５をロッカー内部７下面に置く。次にタイマー１６を設定し、動作させる。すると、先ずオゾン殺菌が開始され、オゾン設定タイマー終了後、遠赤外線殺菌に切り替わる。次に遠赤外線設定タイマー終了で、動作完了となる。
【００１１】
オゾン殺菌を先に行うのは、作業着１９等の殺菌の場合、乾燥前の水分がある状態の方がより、オゾンが反応しやすいという点と、遠赤外線殺菌の間にオゾンを還元するようにしたためである。遠赤外線は遠赤外線照射パネル照射面９より出されるが、量は、面積に比例し、表面温度が高いほうが多くなる。そのため、遠赤外線ヒーターから直接ではなく大きなアルミパネルに遠赤外線コートを施し、通常のヒーターにてパネルを暖める形とした、また、空気の対流で表面温度が下げられるのを防ぐため断熱用ガラス板１０で断熱層１１を形成した。これにより熱伝導による加熱を遠赤外線照射に変換し、より効率よく遠赤外線をだせるようにした。この断熱用ガラス板１０と断熱層１１は作業着１９等が遠赤外線照射パネル照射面９に直接触れて変質するのを防いでいる。それにより本体の小型化が可能となった。
【００１２】
この構成は、ヒーターに対して空気が当らず通常ならば過熱するものと思われるが、遠赤外線照射による放熱が大きく過熱を防いでいる。
【００１３】
本発明の効果を確認するために、２０着の作業着と１足の作業靴をロッカー内部７に入れ、その中のもっとも外側の作業着と、中央の作業着の上部の内、外、下部の内、外、作業靴のかかと外側、つま先内側に大腸菌、黄色ブドウ球菌、サルモネラの菌液をしみ込ませたガーゼを取り付け動作させた。動作時間は紫外線殺菌を１５分、紫外線殺菌を６時間である。
【００１４】
そのガーゼの生存菌数を測定したが、検出しなかった。対象として同様のガーゼを室温放置したが、いずれも作動前よりも生存菌数は増加していた。このことは、生存しやすい状況にある細菌も確実に殺菌できると言うことである。また、作業靴のつま先のような空気の対流の弱い部分の菌も殺菌できているということは、本発明の誰にでも平易な使用で確実な殺菌、乾燥が出来るようにするという目的に合致している。
【産業上の利用可能性】
【００１５】
タイマーの操作によって、遠赤外線での寒冷時の衣服の加温、保温用蓄熱剤の加熱等にも適用できる。
【図面の簡単な説明】
【００１６】
【図１】殺菌乾燥消臭装置の実施方法を示した縦断側面図である。
【図２】殺菌乾燥消臭装置の実施方法を示した扉を取り外した正面図である。
【符号の説明】
【００１７】
１    断熱ロッカー
２    遠赤外線照射パネル
３    反射板
４    オゾンランプ
５    ダクト
６    吹出口
７    ロッカー内部
８    ファン
９    遠赤外線照射パネル照射面
１０  断熱用ガラス板
１１  断熱層
１２  断熱材
１３  ヒーター
１４  扉
１５  作業靴
１６  タイマー
１７  制御ユニット
１８  吸込口
１９  作業着
２０  ハンガーバー
２１  脚
【図１】
2006051137.tif 000003
【図２】
2006051137.tif 000004
(57)【要約】【課題】  折り曲げ不可能なホルダーに対し、両端にポケット部を設けたモップ本体の刷毛体を取り付けることができるようにする。【解決手段】  板状の略長方形又は台形状に形成したモップホルダーにおいて、前記モップホルダーにモップホルダーの両端部を挿入可能なポケット部をモップ本体上面の両端に形成するも、一方のポケット部は２片以上の分離可能なポケット構成片で形成する。【選択図】  図１
2006051194.tif 000002
【特許請求の範囲】
【請求項１】
板状の略長方形又は台形状に形成したモップホルダーにおいて、前記モップホルダーにモップホルダーの両端部を挿入可能なポケット部をモップ本体上面の両端に形成するも、一方のポケット部は２片以上の分離可能なポケット構成片で形成したことを特徴とする床磨き用掃除具。
【発明の詳細な説明】
【技術分野】
【０００１】
この発明は、折り曲げ不可能なホルダーに対し、両端にポケット部を設けたモップ本体の刷毛体を取り付けることができるようにした床磨き用掃除具に関するものである。
【背景技術】
【０００２】
従来から一般に用いられていた床磨き用掃除具ホルダーとしては、例えば図２と図３が存在している。前記図２のものはモップの刷毛体を取り付けるためのものであり、図３のものは紙シートを取り付けるためのものである。
【０００３】
そしていずれものにあっても平面視で長円状又は長方形状に形成され、その中央部に操作用の長い把手がホルダーに対しユニバーサルジョイントを介して連結されている。
【０００４】
また、図２のものにあってはその骨子が、直径約１０ｍｍ程度の金属棒で形成されており、一方、刷毛体はその上面両端にはホルダーの左右両端を挿入可能にするポケット状部が形成されている。
【０００５】
そして前記ポケット状部に前記ホルダーの両端を挿入する必要が存在するため、前記金属棒を回転自在に配設してあるのである。
【０００６】
一方、図３に示すものは、全体を板状に形成し、これに紙シートを巻付け固定するのであるから、特にホルダーを前記のように回転することはなく、ホルダーの上面に紙シートを止めるアタッチメントを配設してけばよく、取り付けは簡易である。
【０００７】
以上において、前者のものにあっては、前記のように金属棒で形成していたために、掃除作業において、床面に対する圧が部分的に異なるために、ふきむらが生じるが、後者のものにあっては板体をホルダーとするこよによってふきむらがない点で良好であるが、一方、後者のものにあっては、変形性がないため、ポケット状部材を設けた刷毛体を取り付けることができないという事実上の課題を有していたのである。
【発明の開示】
【発明が解決しようとする課題】
【０００８】
解決しようとする問題点は、前記一枚の台形状又は長方形状に形成されており、したがって折り曲げ不可能に形成されいたホルダーに対し、両端にポケット部を形成したモップ本体を取り付けることができない点である。
【課題を解決するための手段】
【０００９】
そこでこの発明に係る床磨き用掃除具は前記の課題を解決するために、板状の略長方形又は台形状に形成したモップホルダーにおいて、前記モップホルダーにモップホルダーの両端部を挿入可能なポケット部をモップ本体上面の両端に形成するも、一方のポケット部は２片以上の分離可能なポケット構成片で形成したものである。
【発明の効果】
【００１０】
前記のようにこの発明に係る床磨き用掃除具によれば、板状の略長方形又は台形状に形成したホルダーにおいて、前記モップホルダーにモップホルダーの両端部を挿入可能なポケット部をモップ本体上面の両端に形成するも、一方のポケット部は２片以上の分離可能なポケット構成片で形成してあるので、従来モップホルダーに対して取り付けることが前記ホルダーの構造によって不可能とされていたものを可能にするという効果を有するのである。
【発明を実施するための最良の形態】
【００１１】
ホルダーの種類如何を問わず、紙シート及び刷毛体の何れをも取り付けることができるようにした。
【実施例１】
【００１２】
次にこの発明に係る床磨き用掃除具の一実施例を図面に基づいて述べると、１は略長方形に形成したホルダーであり、２はこのホルダー１の中央部に配設したユニバーサルジョイントである。３は前記ユニバーサルジョイント２に連結した柄棒である。
【００１３】
４は長方形状に形成したモップ本体の刷毛部であり、この刷毛部４の長手方向略両端には対向方向に内側方向に向けた有底状のポケット部５，５’を形成してある。
【００１４】
前記ポケット部５，５’のうち、ポケット部５’は２枚以上のポケット部構成片６によって形成されているとともに、このポケット部構成片６は面ファスナー（ベルクロファスナー）を配設することによって、互いに分離接着可能に構成されている。
【００１５】
しかして、ホルダー１に対して刷毛部４を取り付けるに際しては、互いに接着されている一方のポケット部５’のポケット部構成片６を剥離せしめ、まずモップホルダー１の一方のポケット部５にモップホルダー１の一端を挿入し、他端を前記ポケット部５によって包み込むようにするのである。その結果、長方形状又は台形状のモップホルダー１の両端は、前記ポケット部５，５’によって支持されることになるのである。
【００１６】
尚、前記のように構成したので、この発明にあっては、次の使用方法も可能となる。すなわち、床磨きに使用するものは前記のようにモップが刷毛体の場合もあるが、刷毛体に代えて紙シート７を用いることもある。
【００１７】
刷毛体に代えて紙シート７を使用する場合には、前記ホルダー１から刷毛体のモップ本体４を取り除き、それに代えて紙シート７を使用するのであるが、この紙シート７をホルダー１に巻付ければよいことになるのである。そして巻付けた紙シート７の掃除作業において上面となる位置で接着テープで固定するのである。
【産業上の利用可能性】
【００１８】
従来、この種の掃除具においてモップを使用するホルダーと紙シートを使用するホルダーとに峻別されていたものが基本的には刷毛体と紙シートに兼用することができる。
【図面の簡単な説明】
【００１９】
【図１】この発明に係る床磨き用掃除具の一実施例を示す斜視図である。
【図２】ホルダーの従来例を示す斜視図である。
【図３】ホルダーの従来例を示す斜視図である。
【符号の説明】
【００２０】
１  ホルダー
２  ユニバーサルジョイント
３  柄棒
４  刷毛体
５，５’  ポケット部
６  ポケット部構成片
【図１】
2006051194.tif 000003
【図２】
2006051194.tif 000004
【図３】
2006051194.tif 000005
(57)【要約】【課題】  オートマチック車のシフトレバーは、ニュートラルポジションから前進は後に引き、後進は前に倒すという違和感を解決すること。【解決手段】  シフトレバーグリップ（１）の安全ボタン（３）をシフトレバーグリップ側面の凹状（２）の中に設けるなどしたものと、従来と逆のシフトパターン（４）を組み合わせて、この課題を解決する。【選択図】図１
2006051919.tif 000002
【特許請求の範囲】
【請求項１】
シフトレバーグリップ（１）側面を凹状（２）にし、安全ボタン（３）を凹状（２）の中に設け、従来と逆のシフトパターン（４）と組み合わせたことを特徴とするシフトコントロール器。
【請求項２】
安全ボタン（５）をシフトレバーグリップ（１）の前面に設け、従来と逆のシフトパターン（４）と組み合わせたことを特徴とするシフトコントロール器。
【発明の詳細な説明】
【技術分野】
【０００１】  本発明は、オートマチック車のシフトコントロールに関するものであり、シフトレバーグリップ（１）の安全ボタン（３）（５）の不意な押され防止と、従来と逆のシフトパターン（４）を組み合わせる事によって、前進はシフトレバーを前に倒し、後進はシフトレバーを後に引くようにしたものである。
【背景技術】
【０００２】  従来から、流通車のシフトパターンは図１や図４等とは逆となっている。
【発明の開示】
【発明が解決しようとする課題】
【０００３】  従来のようなシフトパターンでは、ニュートラルポジションから前進は後に引き、後進は前に倒すという違和感がある。本発明は、このような違和感を解決することを課題とする。
【課題を解決するための手段】
【０００４】  この課題を解決するための請求項１の発明は、シフトレバーグリップ（１）の側面を凹状（２）にして、安全ボタン（３）を凹状（２）の中に設け、安全ボタン（３）が不意に押されたままＰポジションからずれるのを防ぎ、従来と逆のシフトパターン（４）と組み合わせて、従来の違和感をなくする。【０００５】  また、請求項２の発明は安全ボタン（５）をシフトレバーグリップ（１）の前面に設け、必要がある時は指で押すようにし、不意に安全ボタン（５）が押されたままＰポジションからずれるのを防ぎ、従来と逆のシフトパターン（４）と組み合わせて、従来の違和感をなくする。【０００６】  本発明により、前進はシフトレバーを前に倒し、後進はシフトレバーを後に引くので、シフト感覚が良くなる。
【発明を実施するための最良の形態】
【０００７】  図１で示すごとく、安全ボタン（３）を凹状（２）の中に設け、従来と逆のシフトパターン（４）と組み合わせた形態のシフトコントロール器である。【０００８】  図４で示すごとく、安全ボタン（５）をシフトグリップ（１）の前面に設け、従来と逆のシフトパターン（４）と組み合わせた形態のシフトコントロール器である。
【産業上の利用可能性】
【０００９】  本発明に係るシフトコントロール器は、安全ボタン（３）（５）の不意な押され防止機能のあるシフトレバーグリップ（１）と、従来のミッションの逆置きのシフトパターンの組み合わせであり、工業的に量産する事が可能で、産業上の利用可能性を有する。
【図面の簡単な説明】
【００１０】
【図１】  安全ボタンを凹状の中に設けたシフトコントロール器の斜視図である。
【図２】  安全ボタンを凹状の中に設けたシフトコントロール器の側面図である。
【図３】  安全ボタンを凹状の中に設けたシフトコントロール器の背面図である。
【図４】  安全ボタンをシフトレバーグリップの前面に設けたシフトコントロール器の斜視図である。
【符号の説明】
【００１１】１  シフトレバーグリップ
２  シフトレバーグリップ側面の凹状
３  凹状の中に設けた場合の安全ボタン
４  １例である従来と逆のシフトパターン
５  シフトレバーグリップ前面に設けた場合の安全ボタン
【図１】
2006051919.tif 000003
【図２】
2006051919.tif 000004
【図３】
2006051919.tif 000005
【図４】
2006051919.tif 000006
【手続補正書】
【提出日】平成16年9月7日(2004.9.7)
【手続補正１】
【補正対象書類名】図面
【補正対象項目名】図１
【補正方法】変更
【補正の内容】
【図１】
2006051919.tif 000007
【手続補正２】
【補正対象書類名】図面
【補正対象項目名】図４
【補正方法】変更
【補正の内容】
【図４】
2006051919.tif 000008
(57)【要約】【課題】ラップを張った状態で引き出しができる、引出し具を提供する。【解決手段】  引き出されるラップ４の先縁領域に、引出し具１の張り板２に設けた着合域３を着合して引出し、張り板２がラップ４の先縁領域を支えているので端が垂れ下がる事はなく、垂れ下がらない事から張った状態で引き出して、梱包物に被せる事ができる。【選択図】  図１
2006051960.tif 000002
【特許請求の範囲】
【請求項１】
引出し具１の張り板２へ設けた着合域３を、ラップ４に着合して引き出す事を特徴としたラップ引出し具。
【請求項２】
着合域３を、貼着によって着合した事を特徴とした請求項１記載のラップ引出し具。
【請求項３】
着合域３を、取り替え可能にする事を特徴とした請求項１及び請求項２記載のラップ引出し具。
【発明の詳細な説明】
【技術分野】
【０００１】
本発明は、ラップ（ｗｒａｐ）フィルム（以降ラップと称する）を、張った状態で引き出す事のできるラップ引出し具に関する。
【背景技術】
【０００２】
ラップ収納箱に取り付けた磁石で固定される引出しバーを、ラップに巻き付けて引き出す発明があった。
【発明の開示】
【発明が解決しようとする課題】
【０００３】
引出しバーの場合、磁石と引出しバーを事前に取り付ける準備と手間が必要だった。
【０００４】
本発明では、前記の準備と手間を省くという課題の解決を目的とする。
【課題を解決するための手段】
【０００５】
上記目的を達成するため、引出し具の張り板に設けた着合域を、ラップの引き出し方向に於ける先縁領域に着合し、ラップ角の垂れ下がりを無くした状態で引き出して任意の長さにカットし、角の垂れ下がりが無い事から皺は寄らず、張った状態で梱包物へラップを被せた後に引出し具の着合を解除する。
【発明の効果】
【０００６】
引き出し方向のラップ先縁領域が張り板に着合して引き出されるので、磁石を取り付けるなどの事前準備を必要とせず、ラップ先縁両角は張り板で支えられているので、垂れ下がらずに梱包物の上でピンと張る事ができ、着合域を粘着にする事で貼り剥がしの着脱を繰り返す事ができ、着合域を両面テープにした事で交換可能となり、交換可能である事から、粘着力が劣化しても復元ができる。
【発明を実施するための最良の形態】
【０００７】
最良の形態を、以下の実施例で図面を参照しながら説明する。
【実施例１】
【０００８】
図１は、本発明物である引出し具１を、ラップ４の引き出し方向に於ける先縁領域（先縁から背方へ適宜にずれた辺りまでの領域）へ、着合した状態で示した要部透視斜視図であり、引出し具１の着合面はラップ４の下面（水平に引き出して下となる面）であっても良いが、上面である方が作業的に着合しやすい事から望ましく、望ましい状態で以降述べる事とし、ラップ４の引き出し方向に対しての直角方向をラップ４の幅とし、引出し具１は細長い形状を成し、この長手方向を長さとして、長手に対しての直角方向を引出し具１の幅とし、引出し具１は、着合域３を有する張り板２で形成され、張り板２の長さはラップ４の幅と同寸である事が望ましいが、多少の差異があっても機能的にはトラブルが無く、着合域３の長さは張り板２と同寸である事が望ましいが、必ずしも同寸でなくても良く、着合域３は張り板２の下面背縁（ラップ４の引出し方向を先、その逆を背とする）に設けることが望ましく、引出し具１を摘み易くする為に、張り板２の先縁中央から先方向へ適宜に突出した領域の摘み部５を設ける事が望ましく、着合域３は粘着によって着合させる事が望ましく、又、針やピンなどの先鋭物で突き刺して着合しても良く、ラップ４は箱６に収納されている市販物を用いる。
【実施例２】
【０００９】
図２は、ラップを引き出した状態で示した要部透視斜視図であり、摘み部５を摘む事で引出し具１は引出し易くなり、ラップ４の幅と同寸長で、着合域３を介して張り板２が着合しており、張り板２の張りによってラップ４の先縁両角は垂れ下がっておらず、両角が垂れ下がらない事からラップ４は皺にならない状態で梱包物７の上で広げる事ができ、ラップ４のカットは従来技術を用いて箱６に有する鋸状の刃で行い、ラップ４を任意の長さにカットして梱包物７を包み、最後に引出し具１をラップ４から剥がす。
【実施例３】
【００１０】
図３は、引出し具の引出し方向である先を上にした正面図であり、上下左右の位置関係は、図３に限って図面に合わせて述べる事とし、引出し具１は横に細長い形状を成し、細長い矩形であっても良いが、天縁中央を摘み易い適宜な大きさで突出させて摘み部５を形成し、摘み部５の形状は天両角の丸い正方形を含む四角形が望ましく、張り板２の天縁は水平であっても良いが、中央部に有する摘み部５へ向けて僅かに盛り上がった形状が望ましく、着合域３の地縁と両側にわずかな余白域を設けて図示しているが、これは着合域の存在を明瞭にするためで、実際には前記地縁と両側の余白域は無い方が望ましく、着合域３は粘着によって着合させる事が望ましく、その粘着力はラップ４の先縁領域を粘着して容易に持ち上げられる強さが少なくても必要で、その一方で梱包物を包み終えた時点で剥がす事から、粘着力が強過ぎない事も必要で、着合域３の上下幅は粘着力の強度にもよるが５ｍｍ前後が望ましく、着脱を繰り返すに従って粘着力の劣化があり、着合域３は両面テープにする事で取り替え可能にし、表裏面の粘着力は同等であっても良いが、引出し具１側は強く、ラップ側は弱くする事が望ましく、引出し具１の素材は柔軟性のある硬質プラスチックであるポリプロピレンが望ましく、厚みは限定ではないが２ｍｍ程度が望ましい。
【図面の簡単な説明】
【００１１】
【図１】引出し具をラップに着合した状態で示した要部透視斜視図。（実施例１）
【図２】ラップを引き出した状態で示した要部透視斜視図。（実施例１）
【図３】引出し具の正面図。（実施例１）
【符号の説明】
【００１２】
１  引出し具
２  張り板
３  着合域
４  ラップ
【図１】
2006051960.tif 000003
【図２】
2006051960.tif 000004
【図３】
2006051960.tif 000005
(57)【要約】【課題】  従来の直定規や三角定規等は、ただの平らな板状でしかも滑り易い材質が多く画面（紙等）との抵抗が少なく、線引きや目盛り読みのとき、それらの定規等が微妙に動いて困った。【解決手段】  しかし、本発明によって定規等と図画面が指先のタッチで強く固定され製図の際の線引きが安定して綺麗に書くことができ目盛りの読み取りも正確かつ安定する。【選択図】    図１
2006051784.tif 000002
【特許請求の範囲】
【請求項１】
指先が、直接図画面にタッチできる程度の数個の固定用の穴を設けたことを特徴とする直定規や三角定規等
【発明の詳細な説明】
【技術分野】
【０００１】    本発明は、定規の形状に関する。
【背景技術】
【０００２】    従来の直定規や三角定規等は、製図や目盛り読みの際に微妙に横スベリやブレ等が起きて困った。
【発明の開示】
【発明が解決しようとする課題】
【０００３】    そこでこの発明は、図画面に固定させる直定規や三角定規等を提供することにある。
【課題を解決するための手段】
【０００４】    以上の課題を解決するために、指先が直接図画面にタッチできる程度の数個の固定用の穴を設けたことを特徴とする直定規や三角定規等である。
【発明の効果】
【０００５】    この固定型直定規や三角定規等を使用することで横スベリやブレ等が解消され製図や目盛りの読取りが正確かつ安定する。
【発明を実施するための最良の形態】
【０００６】    指先用の穴を数個開けた新規性、機能性に富んだ構造の直定規や三角定規等でその穴を通して手の指が定規越しに画面を捉えた結果、安定製図で作業効率も上昇した。
また指先を何本も使っての作業のため右脳の活性化にも期待が持てる。
【図面の簡単な説明】
【０００７】
【図１】穴を開けた直定規
【図２】穴を開けた三角定規
【図３】穴を開けた直定規での製図イメージ
【符号の説明】
【０００８】    １  定規
２  穴
【図１】
2006051784.tif 000003
【図２】
2006051784.tif 000004
【図３】
2006051784.tif 000005
(57)【要約】【課題】  従来の携帯用画板は、多数の部材を使用し、バネ、締め具で構成され、画板の使用時において、組立てに時間がかかり、部品の紛失の恐れが生じ不便で問題であった。【解決手段】  蝶番によって取付けられた、平板１と平板２に、所要形状と平行形状の蟻溝を設け、各蟻溝に嵌入する、嵌合部材３を介在させ、平板２と平板１の所要な蟻溝に、嵌合部材３を嵌入することで、平板１と平板２は、固着され、平板１に嵌入した嵌合部材を平板２に摺動すると、固着が解除され、折畳める、このように構成された折畳み携帯用画板。【選択図】      図４
2006051787.tif 000002
【特許請求の範囲】
【請求項１】
蝶番で固着した平板１の片端に所要形状蟻溝を設け、平板２の片端に平行蟻溝を設け各形状の蟻溝に嵌合できる嵌合部材３とで構成されている。嵌合部材３の平行部を平板２の平行蟻溝に嵌入し、嵌入した部材３を平板１の所要形状蟻溝に摺動すると、嵌合部材３によって、平板１と平板２は固着でき、嵌合部材３を平板２に、摺動すれば固着から画板は解除され折畳める状態となる。このように構成され、特徴とする折畳み携帯用画板。
【請求項２】
平板１と平板２に設けた所要な形状蟻溝に嵌合できる部材は、使用する画板の大小により複数を設ける必要もある、折畳み携帯用画板。
【発明の詳細な説明】
【技術分野】
【０００１】  本発明は、軽量と簡便を図った、折畳み携帯用画板に関するものである。
【背景技術】
【０００２】  従来の折畳み携帯用画板は、手間のかかる画板が多く、多数の部品を組立て、締め具やバネ類で構成されているものもある。（実用文献１参照）【０００３】  製作費が高価と思える摺動片と関係部、不可解な関節部で構成されているものもある。（公開文献２参照）【０００４】  係止する板２枚の木口に溝、そこに棒を挟むものもあり、不便。（登録文献３参照）
【実用文献１】
実開平０７−１７５９４号  公報
【公開文献２】
公開昭５９−５６０８９号  公報
【登録文献３】
登録明治３９−１０−２３  第３５０号、第１１３号
【発明の開示】
【発明が解決しようとする課題】
【０００５】  以上に述べた従来の折畳み携帯用画板では、次のような問題点があった。
（イ）バネ、スプリング、金具を用いて、重量があり、画板に厚みが生じ多数の部品とで組立てに時間がかかり、部品の紛失の恐れもあり不便であった。
（ロ）近年は市町村で、カルチャー教室があり、グループの写生旅行に年配者が多く参加し体力、能力に限界があり、狭い車内の持ち運びに、軽便さが要求されている。
【問題を解決するための手段】
【０００６】  本発明は、上記目的を達成するため、平板１に、所要形状の蟻溝４を設ける、平板２に平行な蟻溝５を設け、平板２の平行蟻溝５に、嵌合部材３の平行部を嵌入し、嵌合部材３の所要形状部を、平板１の所要形状の蟻溝に摺動嵌入する、平板１と平板２は蝶番を取り付ける。平板１と平板２に嵌入した嵌合部材３は、平板１と平板２に摺動すると、固定と嵌脱が容易にできる構成である。
【発明の効果】
【０００７】  上述したように本発明の画板は、折畳み可能と軽量化もされ、組立ての時間も短縮されカバン、リュックサックへ収納と携帯が容易で、写生旅行では、狭い車内での移動で他人に迷惑をかける心配も、解消された。折畳み携帯画板を提供できるものである。
【発明の実施するための最良の形態】
【０００８】  以下、本発明の実施の形態を図１〜図５にもとづき説明をする。
【０００９】  図１について、１は平板、４は所要形状の蟻溝、図２について３は、嵌合部材、図３について、２は平板、５は平行蟻溝、図４は組立てた画板で、嵌合部材３が嵌入されている。図５は、折畳んだ画板。
【００１０】  以下、上記構成の動作を説明する。
平板１と平板２に、蝶番６と７を取付けし、平板２に設けた、平行蟻溝５に、嵌合部材３の平行部分を嵌入し、嵌合部材３の先端部を平板１の所要形状蟻溝に摺動嵌入することで、平板１と平板２は固定され画板とし形成される、嵌合部材３を、平板２に摺動嵌入すれば、平板１と平板２は固定から解除され、折畳める状態に戻り、携帯できる。
以上のように、本実施形態に、折畳み携帯画板の効果が得られる。
【図面の簡単な説明】
【００１１】
【図１】    本発明の平板１に、所要形状蟻溝４を設けた斜視図
【図２】    本発明の嵌合部材３の斜視図
【図３】    本発明の平板２に、平行蟻溝５を設けた斜視図
【図４】    本発明の組立てた、折畳み携帯用画板の斜視図
【図５】    本発明の折畳んだ画板の立てた状態の斜視図
【符号の説明】
【００１２】    １        平板１
２        平板２
３        嵌合部材
４        所要形状蟻溝
５        平行蟻溝
６        蝶番
７        蝶番
８        折畳んで立てた画板
【図１】
2006051787.tif 000003
【図２】
2006051787.tif 000004
【図３】
2006051787.tif 000005
【図４】
2006051787.tif 000006
【図５】
2006051787.tif 000007
(57)【要約】【課題】浴室や水辺で雑誌・本を読む時に、濡らさないで簡単にペ−ジをめくり読書することが困難な状況を解決すること。【解決手段】防水性ファスナ−５付の透明で柔らかなブックケ−ス１の上部下部に、菱形に折り畳んだ防水シ−トである上部下部ジャバラ２・３を装着し伸縮性をもたせ、左右に親指で操作する多機能キャップ４ａを装着することにより、この課題を解決する。【選択図】      図１
2006051783.tif 000002
【特許請求の範囲】
【請求項１】
防水性ファスナ−付の透明で柔らかなブックケ−スの上部下部に接合した菱形に折り畳んだ防水シ−トのジャバラと、左右に固定した多機能キャップで、雑誌・本が濡れないで読書できるようにした防水ブックケ−ス。
【発明の詳細な説明】
【技術分野】
【０００１】本発明は、浴室や水辺で雑誌・本を読むために、防水処理を施した透明で柔らかなケ−スに伸縮用ジャバラと多機能キャップを付ける事によって、雑誌・本を濡らさないで読書ができるようにしたものである。
【背景技術】
【０００２】従来は、濡らさないで雑誌・本のペ−ジをめくり読書ができるブックケ−スはなかった。
【発明の開示】
【発明が解決しようとする課題】
【０００３】浴室や水辺で雑誌・本を読む時に、濡らさないで簡単にペ−ジをめくり読書するこが困難であった。本発明は、この課題を解決するためのものである。
【課題を解決するための手段】
【０００４】防水性ファスナ−５付の透明で柔らかなブックケ−ス１の上部下部に、菱形に折り畳んだ防水シ−トである上部ジャバラ２と下部ジャバラ３を装着して伸縮できるようにした。また、ブックケ−ス１の左右を円状にカットして多機能キャップ４ａを装着し、フック４ｂにより親指で開閉して空気の出し入れと、弾性膜４ｃを親指で押えることで雑誌・本７のペ−ジをめくることができるようにした。また、弾性パッキン４ｄで防水性を確保した。
【発明の効果】
【０００５】本発明により、浴室や水辺で雑誌・本を読む時に、上部下部ジャバラと親指で操作する多機能キャップによって、濡れるのを気にしないで簡単にペ−ジをめくり読書ができる。
【発明を実施するための最良の形態】
【０００６】図１は、防水性ファスナ−５付の透明で柔らかなブックケ−ス１の上部下部に、菱形に折り畳んだ防水シ−トである上部ジャバラ２と下部ジャバラ３をとりつけ、また、左右を円状にカットして多機能キャップ４ａをとりつけたもので、雑誌・本７を開いた状態を示す平面図です。図２は、その断面図である。【０００７】図３は、親指の操作により両手でブックケ−ス１を寄せて、雑誌・本７のペ−ジがめくれる状態を示す平面図です。図４は、その断面図である。【０００８】図５は、ブックケ−ス１の上部下部に、菱形に折り畳んだ上部ジャバラ２と下部ジャバラ３が装着され、ペ−ジをめくるために伸びている状態を示す断面図である。このジャバラ２・３により伸縮が可能になる。【０００９】図６は、多機能キャップ４ａの平面図です。図７と図８は、多機能キャップ４ａのフック４ｂと弾性膜４ｃによる親指の操作で閉じた状態と、開いた状態を示した断面図である。この親指による操作で空気の出し入れとペ−ジのめくりが簡単にできる。【００１０】本発明の材料は、プラスチックなどの通常のものでよい。また、弾性膜４ｃについては天然ゴム系でもよい。
【図面の簡単な説明】
【００１１】
【図１】本発明で雑誌・本を開いた状態を示す平面図である。
【図２】本発明で雑誌・本を開いた状態でＡ−Ａ線に沿った断面図である。
【図３】本発明で雑誌・本のペ−ジをめくる状態を示す平面図である。
【図４】本発明で雑誌・本のペ−ジをめくる状態でＢ−Ｂ線に沿った断面図である。
【図５】本発明で雑誌・本のペ−ジをめくる状態でＣ−Ｃ線に沿った断面図である。
【図６】本発明の多機能キャップを示す平面図である。
【図７】本発明の多機能キャップでＤ−Ｄ線に沿った断面図である。
【図８】本発明の多機能キャップで空気の出し入れ状態を示す断面図である。
【符号の説明】
【００１２】１    ブックケ−ス本体
２    上部ジャバラ
３    下部ジャバラ
４ａ  キャップ
４ｂ  フック
４ｃ  弾性膜
４ｄ  弾性パッキン
５    ファスナ−
６    表紙止め
７    雑誌・本
【図１】
2006051783.tif 000003
【図２】
2006051783.tif 000004
【図３】
2006051783.tif 000005
【図４】
2006051783.tif 000006
【図５】
2006051783.tif 000007
【図６】
2006051783.tif 000008
【図７】
2006051783.tif 000009
【図８】
2006051783.tif 000010
(57)【要約】【課題】小型でもずり落ちたりせず、小さな文字で見難い場合でもすぐに対処できるページ固定器を得る。【解決手段】本体底部の一部又は全面又はこれらを合わせた中に滑り止めを設ける。本体に拡大レンズ機能を設ける。【選択図】  図１
2006051785.tif 000002
【特許請求の範囲】
【請求項１】
本体底部に滑り止め部材を設ける事を特徴とする書籍等のページ固定器
【請求項２】
突起状又は折れ爪状に滑り止めを設ける事を特徴とする請求項１記載の書籍等のページ固定器
【請求項３】
文字拡大レンズを設ける事を特徴とする請求項１、２記載の書籍等のページ固定器
【発明の詳細な説明】
【発明の詳細な説明】
【技術分野】
【０００１】この発明は書籍などのページを開いた時、ページが戻ったりめくれたりするのを防ぐ為のページ固定器に関する。
【背景技術】
【０００２】従来、書籍など開いたページを固定するものは置き形ではペーパーウェイトなどと称するガラス材のようなもので作られた円盤状の重石的なものがある。
【発明の開示】
【発明が解決しようとする課題】
【０００３】従来においては開いたページを安定させるのに置き形では円盤状の重石的なものがあるが、これでは厚い本などはページ端などで使用するとずれ落ちたり或いは形状的に大きなものを使用することが求められ不便であった。又小さな文字で見難い場合、拡大鏡を別に利用する手間があった。本発明はこれらの不便を解消するためのものである。
【課題を解決するための手段】
【０００４】本体底部の一部または底部面全体又はこれらを組み合わせたなかに滑り止め部材を設ける。【０００５】滑り止め部材の表面は平滑だけでなく、波型や格子状でもよく、また滑り止め部を突起状又は折れ爪状にする事でページストッパーとしての効果をより高め、又動物などを模したような本体の足の部位に設けることでさまざまなデザインにも対処できるようになる。また細かな文字が見難い場合にもすぐ対処できるように小さな文字を見やすくするために拡大レンズ（位置は本体のどこでもよい）を設ける。
【発明の効果】
【０００６】従来、開いた本のページを安定させるのには単にガラス材などで出来た板形の重石のようなものがあるが小型のものでは厚い本の場合、ページ端からずり落ちてしまったり、それが為大きな形状になる欠点があった。又小さな字で見難い場合、拡大鏡を探したり、別に利用する手間があった。本発明はそれらの欠点をなくすため、本体底部に滑り止め機能を設けることにより、厚い本であってもページ端からずり落ちることが無くなり、又滑り止め部を突起状、或いは折れ爪状にする事でページ端で利用してもページ端に引っかかる感じになり小型であっても開いたページを安定させる効果を高めた。【０００７】動物などを模した本体の足部である部位に滑り止めを設けることが出来、多様なデザインに対しても対応できるようになった。又目の不自由な方が小さな文字で困った時にもすぐに対処できるようになり、拡大鏡を別に探す手間がなくなった。以上からコレクターアイテムとしても楽しめるようになり、商品としての付加価値を高めることが出来る。
【発明を実施するための最良の形態】
【実施例】
【０００８】本発明の実施例について説明する。図１において本体底部に１及び２のような滑り止めを設けてあり、これを使用する時は開いたページ上またはページ端の方に置いて使用する。図３にその例を示す。【０００９】本体に文字拡大レンズ３を設けてあり、これを使用する時は小さな文字の上に本体のレンズ部を合わせて使用する。
【図面の簡単な説明】
【図１】突起状滑り止め部を左に見た時の斜視図である
【図２】図１の正面図である
【図３】見開き本での使用例を示す正面図である
【図４】爪部を設けた時の斜視図である
【符号の説明】
１  滑り止め（突起状又は折れ爪状）
２  滑り止め（全面）
３  拡大レンズ
【図１】
2006051785.tif 000003
【図２】
2006051785.tif 000004
【図３】
2006051785.tif 000005
【図４】
2006051785.tif 000006